(57)【要約】【課題】簡単な構成により、異常発生時の前後の高精度映像を容易に記録することができるようにした映像監視システムを提供する。【解決手段】撮像手段１２０からの高精度映像情報１２１と、この高精度映像情報１２１から映像変換手段１４０による低精度映像情報１４１とを映像記録手段１６０に記録し、事象発生の際には、事象発生時刻の前の第一の設定時間の間そして事象発生時刻の後の第二の設定時間の間、高精度映像情報１２１を残すと共に、映像記録手段における記録容量を低減する。【選択図】      図１
2004356956.tif 000002
【特許請求の範囲】
【請求項１】
少なくとも一つの監視対象を撮像する撮像手段と、
監視対象で発生した異常な事象を検出する事象検出手段と、
現在時刻，前もって設定された第一および第二の設定時間に基づいて、時間情報を出力する時計手段と、
撮像手段からの高精度映像情報を記録すると共に、映像変換手段からの低精度映像情報を記録する映像記録手段と、
映像記録手段から読み出した高精度映像情報を低精度映像情報に変換する映像変換手段と、
事象検出手段からの検出信号と時計手段からの時間情報に基づいて、映像記録手段に対する映像情報の記録を制御する書込制御手段と、
を設けて、
書込制御手段が、事象発生前には、映像記録手段に記録されている現在時刻から第一の設定時間を差し引いた第一の設定時刻以前の高精度映像情報を消去すると共に、事象発生後には、第一の設定時刻から事象発生時刻までの時間帯および事象発生時刻から第二の設定時間を加えた第二の設定時刻までの時間帯について低精度映像情報の映像記録手段への記録を抑止し、第二の設定時刻以後は映像記録手段に記録されている高精度映像情報を消去する
ことを特徴とする映像監視システム。
【請求項２】
上記映像記録手段が、事象発生の際に、時計手段からの時間情報が表わすデータに基づいて、映像情報と関連付けて事象発生時刻，第一の設定時間および第二の設定時間を記録することを特徴とする請求項１に記載の映像監視システム。
【請求項３】
上記事象検出手段が、発生した事象の種類に応じた検出信号を出力し、上記映像記録手段が、事象発生の際に、この検出信号に対応して、発生した事象の種類を記録することを特徴とする請求項１または２に記載の映像監視システム。
【請求項４】
事象発生時に、上記映像記録手段に記録された高精度映像情報，低精度映像情報，事象発生時刻，事象の種類を含む監視情報を送信する送信手段を備えており、
この送信手段が、これらの監視情報をネットワークを介して管理部に送信することを特徴とする請求項１〜３のいずれかに記載の映像監視システム。
【請求項５】
上記管理部が、上記送信手段から送信される監視情報を受信する受信部と、受信部で受信した監視情報を管理する映像管理手段と、この監視情報に対応する料金を計算して料金情報を管理する料金管理手段と、映像管理手段により管理する監視情報および料金管理手段で管理する料金情報をネットワークを介して利用者の端末機器に送信する送信部と、を設けたことを特徴とする請求項４に記載の映像監視システム。
【請求項６】
上記管理部の送信部が、事象発生時刻から所定時間経過後に監視情報をネットワークを介して利用者の端末機器に送信することを特徴とする請求項５に記載の映像監視システム。
【請求項７】
上記管理部の送信部が、利用者の端末機器からの要求に基づいて、監視情報および料金情報をネットワークを介して利用者の端末機器に送信することを特徴とする請求項５に記載の映像監視システム。
【請求項８】
複数の映像監視システムが、ネットワークを介して一つの管理部に接続されており、
管理部の映像管理手段が、各映像監視システム毎に監視情報を管理することを特徴とする請求項５〜７のいずれかに記載の映像監視システム。
【請求項９】
上記管理部の送信部が、料金管理手段で管理する料金情報を、前もって利用者が登録した決済部に対してネットワークを介して送信することを特徴とする請求項５〜８のいずれかに記載の映像監視システム。
【発明の詳細な説明】
【０００１】
【発明の属する技術分野】
本発明は、監視対象の映像を記録する映像監視システムに関し、特に事象発生時に高精度映像の記録を実現するための技術に関する。
【０００２】
【従来の技術】
近年、犯罪の発生件数が増大しているのに対して、検挙率は低下している。さらに、社会が高度化するのに伴って、多種多様な事故も発生するようになってきている。
このため、昨今は、警察や警備会社等の専門機関による監視だけではなく、市民レベルでの自主防衛も求められるようになってきている。
したがって、例えば道路，店舗，倉庫等の事故や犯罪が多く発生し得る種々の場所や、一般家庭内においても、映像監視システムが多く利用されるようになってきている。
【０００３】
しかしながら、このような映像監視システムは、一般的に事故や犯罪等が発生した時点での映像が不鮮明であることから、撮像した映像があまり利用されず、あるいは活用されないことが多かった。
これに対して、高精度の映像を記録するようにした映像監視システムもあるが、長時間に亘って高精度の映像を記録すると、記録媒体の容量が膨大になるため、コストが高くなってしまう。したがって、特殊用途においては利用されているが、一般向けには実用的ではない。
【０００４】
これに対して、特許文献１〜２においては、種々の映像監視システムが開示されている。
まず、特許文献１による映像監視システムにおいては、映像を常に半導体映像記録部に記録しておき、異状検出センサからの異状を表わすセンサ信号が発生したとき、センサ信号発生前後の映像を、半導体映像記録部から磁気映像記録部に送出して記録するようになっている。
これにより、事故，犯罪等の所定の事象が発生したとき、その前後の映像を磁気映像記録部に記録するので、高精度の映像であっても、磁気記録媒体の容量が少なくて済み、コストが低減され得ることになる。
【０００５】
次に、特許文献２による映像監視システムにおいては、通常はテレビカメラからの映像情報を所定の低精度で符号化して画像蓄積部に記録しておき、センサが監視対象の異常を検出したときは、テレビカメラからの映像情報をより高い精度で符号化して画像蓄積部に記録するようになっている。
これにより、異常発生時には、高精度の映像を記録することができる。
【０００６】
【特許文献１】
特開２０００−３５０１６３号
【特許文献２】
特開平１１−０７５１７６号
【０００７】
【発明が解決しようとする課題】
しかしながら、上述した各特許文献１〜２においては、以下のような問題がある。
すなわち、特許文献１においては、常時映像を記録するために、記憶素子として半導体素子を利用した半導体映像記録部が必要であり、この半導体映像記録部が比較的高価であることから、映像監視システム全体のコストが高くなってしまう。
また、特許文献２においては、比較的低い精度の映像によりリアルタイム監視を行なうと共に、異常発生時には、高精度の映像により監視を行なうものであるが、異常発生時に高精度に切換えると、異常発生直前の映像は低精度になってしまうことから、精度切換えのタイミングが難しい。
【０００８】
本発明は、上記の問題を解決すべくなされたものであり、簡単な構成により、異常発生時の前後の高精度映像を容易に記録することができるようにした映像監視システムの提供を目的とする。
【０００９】
【課題を解決するための手段】
この目的を達成するため、本発明の請求項１記載の映像監視システムは、少なくとも一つの監視対象を撮像する撮像手段と、監視対象で発生した異常な事象を検出する事象検出手段と、現在時刻，前もって設定された第一および第二の設定時間に基づいて、時間情報を出力する時計手段と、撮像手段からの高精度映像情報を記録すると共に、映像変換手段からの低精度映像情報を記録する映像記録手段と、映像記録手段から読み出した高精度映像情報を低精度映像情報に変換する映像変換手段と、事象検出手段からの検出信号と時計手段からの時間情報に基づいて、映像記録手段に対する映像情報の記録を制御する書込制御手段と、を設けて、書込制御手段が、事象発生前には、映像記録手段に記録されている現在時刻から第一の設定時間を差し引いた第一の設定時刻以前の高精度映像情報を消去すると共に、事象発生後には、第一の設定時刻から事象発生時刻までの時間帯および事象発生時刻から第二の設定時間を加えた第二の設定時刻までの時間帯について低精度映像情報の映像記録手段への記録を抑止し、第二の設定時刻以後は映像記録手段に記録されている高精度映像情報を消去する構成としてある。
【００１０】
映像監視システムをこのような構成とすると、映像記録手段が、撮像手段からの高精度映像情報を記録すると共に、映像変換手段からの低精度映像情報を記録する。
そして、映像記録手段は、通常は、すなわち異常な事象が発生しないときには、書込制御手段により制御されて、順次現在時刻から第一の設定時間を差し引いた時刻以前の高精度映像情報を消去する。
【００１１】
これにより、映像記録手段には、現在時刻から第一の設定時間を差し引いた時刻（第一の設定時刻）以前については低精度映像情報のみが記録されており、第一の設定時刻から現在時刻までについては、高精度映像情報および低精度信号が記録されている。したがって、通常は、映像記録手段は、順次に低精度映像情報のみを記録することになるので、記録容量が少なくて済むことになる。
【００１２】
ここで、異常な事象が発生すると、事象検出手段がこの異常な事象を検出するので、書込制御手段は、この事象検出手段からの検出信号に基づいて、時計手段からの現在時刻により、事象発生時刻を検出する。
そして、書込制御手段が、事象検出手段からの検出信号と時計手段からの時間情報に基づいて、映像記録手段を制御することにより、映像記録手段は、事象発生時刻から第二の設定時間を加えた時刻（第二の設定時刻）までの間、映像変換手段による低精度映像情報の記録を停止すると共に、第一の設定時刻以前の高精度映像情報の消去を停止する。
【００１３】
これにより、映像記録手段には、事象発生時刻から第二の設定時刻までの間、撮像手段からの高精度映像情報のみが記録されることになる。したがって、映像記録手段には、第一の設定時刻から事象発生時刻までの間の高精度映像情報が消去されずに記録されたままであることから、事象発生時刻に関して、その前の第一の設定時間の間とその後の第二の設定時間の間、映像記録手段には高精度映像情報が記録されることになる。
【００１４】
このようにして、本発明による映像監視システムによれば、事象が発生したとき、事象発生前の第一の設定時間の間そして事象発生後の第二の設定時間の間、映像記録手段に高精度映像情報が記録されることになるので、事象発生時に監視対象の鮮明な映像を見て、事象発生を正確に視認することができる。
また、現在時刻から第一の設定時間を差し引いた時刻以前の高精度映像情報は、順次に消去されることになるため、映像記録手段の記憶容量が少なくて済むので、映像監視システムのコストが低減され、あるいはより長時間の映像情報の記録が可能になる。
【００１５】
請求項２記載の映像監視システムは、上記映像記録手段が、事象発生の際に、時計手段からの時間情報が表わすデータに基づいて、映像情報と関連付けて事象発生時刻，第一の設定時間および第二の設定時間を記録する構成としてある。
映像監視システムをこのような構成とすると、映像記録手段から高精度映像情報を読み出して再生する際に、事象発生時刻，第一の設定時間および第二の設定時間も読み出すことによって、異常な事象の発生時刻および高精度映像情報の記録時間を確認することができる。
【００１６】
請求項３記載の映像監視システムは、上記事象検出手段が、発生した事象の種類に応じた検出信号を出力し、上記映像記録手段が、事象発生の際に、この検出信号に対応して、発生した事象の種類を記録する構成としてある。
映像監視システムをこのような構成とすると、映像記録手段から高精度映像情報を読み出して再生する際に、どのような異常な事象が発生したかを確認することができる。
【００１７】
請求項４記載の映像監視システムは、事象発生時に、上記映像記録手段に記録された高精度映像情報，低精度映像情報，事象発生時刻，事象の種類を含む監視情報を送信する送信手段を備えており、この送信手段が、これらの監視情報をネットワークを介して管理部に送信する構成としてある。
【００１８】
映像監視システムをこのような構成とすると、事象発生時には、送信手段がネットワークを介して管理部に対して、監視情報を送信することにより、例えば遠隔地に位置する管理部にて、異常な事象が発生したときに、監視情報により事象発生を確実に把握することができると共に、事象発生時にのみ監視情報が送信手段からネットワークを介して管理部に送信されることになり、監視情報の送信容量が少なくて済み、通信料金を低減することが可能になる。
【００１９】
請求項５記載の映像監視システムは、上記管理部が、上記送信手段から送信される監視情報を受信する受信部と、受信部で受信した監視情報を管理する映像管理手段と、この監視情報に対応する料金を計算して料金情報を管理する料金管理手段と、映像管理手段により管理する監視情報および料金管理手段で管理する料金情報をネットワークを介して利用者の端末機器に送信する送信部と、を設けた構成としてある。
【００２０】
映像監視システムをこのような構成とすると、管理部にて、映像管理手段により事象発生時の監視情報を管理すると共に、料金管理手段により個々の監視情報に関する料金を計算して管理することができる。
そして、これらの監視情報および料金情報を、ネットワークを介して利用者の端末機器に送信する。これにより、利用者の端末が、インターネット等のネットワークに接続できる環境にあれば、例えば携帯電話端末やネットワーク接続したパーソナルコンピュータ等を介して、いつでもどこでも監視情報および料金情報を利用者に送信することが可能である。
【００２１】
請求項６記載の映像監視システムは、上記管理部の送信部が、事象発生時刻から所定時間経過後に監視情報をネットワークを介して利用者の端末機器に送信する構成としてある。
映像監視システムをこのような構成とすると、送信部により、事象発生から所定時間経過後に、自動的に監視情報が利用者の端末機器に送信されることにより、利用者はほぼリアルタイムに監視情報を受け取ることができる。
【００２２】
請求項７記載の映像監視システムは、上記管理部の送信部が、利用者の端末機器からの要求に基づいて、監視情報および料金情報をネットワークを介して利用者の端末機器に送信する構成としてある。
映像監視システムをこのような構成とすると、利用者は、端末機器により映像監視システムの管理部に対して要求することにより、いつでも監視情報および料金情報を受け取ることができる。
【００２３】
請求項８記載の映像監視システムは、複数の映像監視システムが、ネットワークを介して一つの管理部に接続されており、管理部の映像管理手段が、各映像監視システム毎に監視情報を管理する構成としてある。
【００２４】
映像監視システムをこのような構成とすると、複数の利用者がそれぞれ希望する複数の監視対象に対して、それぞれ映像監視システムを設けることにより、各映像監視システムからの監視情報を、ネットワークを介して一つの管理部により受信することにより、例えば遠隔地に配置された管理部により、複数の監視対象に関する監視情報を一括して管理することができる。
【００２５】
請求項９記載の映像監視システムは、上記管理部の送信部が、料金管理手段で管理する料金情報を、前もって利用者が登録した決済部に対してネットワークを介して送信する構成としてある。
映像監視システムをこのような構成とすると、映像監視システムの管理部にて、料金管理手段が管理する料金情報を、ネットワークを介して決済部に送信することにより、利用者の手を煩わすことなく、決済部により映像監視システムの利用料金を回収することができる。これにより、利用者は、金融機関に出向いたり、あるいは例えばネットワーク決済機関を利用して、送金手続を行なうことなく、利用料金の支払いを行なうことができると共に、映像監視システムの運営者は、決済日に確実に料金の支払いを受けることができる。
【００２６】
【発明の実施の形態】
以下、本発明の実施の形態について、図面を参照して説明する。
本発明の映像監視システムの一実施形態について、図１〜図６を参照して説明する。
図１は、本実施形態の映像監視システムの構成を示すブロック図である。
【００２７】
図１に示すように、映像監視システム１０は、少なくとも一つの監視システム１００，・・・，１０ｍと、利用者２００が使用する携帯電話端末２１０およびインターネット接続端末２２０と、管理部としての管理システム３００と、決済部としての決済システム４００と、ネットワーク５００と、を設けてある。
なお、図１においては、監視システム１００，・・・，１０ｍは、（ｍ＋１）個が図示されているが、（ｍ＋１）個に限定されるものではなく、少なくとも一つあればよい。
また、図１においては、利用者２００の携帯電話端末２１０，インターネット接続端末２２０，決済システム４００は、それぞれ一つだけ図示されているが、一つに限定されるものではない。
【００２８】
ネットワーク５００は、例えばインターネット，携帯電話を含む一般公衆回線網あるいは専用回線網等のネットワークであって、監視システム１００〜１０ｍと携帯電話端末２１０，インターネット接続端末２２０，管理システム３００，決済システム４００とを相互に接続して、インターネット接続サービスを提供するものである。
【００２９】
上記監視システム１００〜１０ｍは、それぞれ監視対象６００〜６０ｍを監視するようになっており、互いに同じ構成であるので、監視システム１００について、図２を参照して構成を説明する。
図２において、監視システム１００は、事象検出手段１１０と、撮像手段としてのビデオカメラ１２０と、時計手段１３０と、映像変換手段１４０と、書込制御手段１５０と、映像記録手段１６０と、送信手段１７０と、を設けてある。
【００３０】
上記事象検出手段１１０は、監視対象６００で発生した異常な事象を検出して、事象の内容を含む検出信号１１１を時計手段１３０，書込制御手段１５０および映像記録手段１６０に対して出力するようになっている。
この場合、検出信号１１１は、時計手段１３０に対しては、事象を検出したことを示す信号として出力されることになる。
上記ビデオカメラ１２０は、映像撮影用のカメラであって、監視対象６００を連続的に撮影して、動画としての高精度映像情報１２１を映像記録手段１６０に対して出力するようになっている。
【００３１】
上記時計手段１３０は、現在日時（時刻）を表示すると共に、所定の時間を計測する機能を有しており、さらに事象発生の際の第一の設定時間および第二の設定時間を記憶していて、事象が発生したことと事象発生時刻，第一の設定時間および第二の設定時間を含む時間情報１３１を書込制御手段１５０および映像記録手段１６０に対して出力するようになっている。
ここで、第一の設定時間は、事象発生前の高精度映像情報を記録するための時間であり、第二の設定時間は、事象発生後の高精度映像情報を記録するための時間である。
この場合、時間情報１３１は、書込制御手段１５０に対しては、第二の設定時間が経過したときに映像記録手段１６０への高精度映像情報の書込を制御する等のための制御信号として、また映像記録手段１６０に対しては、事象発生時刻，第一の設定時間および第二の設定時間として、それぞれ出力される。
【００３２】
上記映像変換手段１４０は、映像記録手段１６０に記録された高精度映像情報１２１を読み出して、低精度映像情報１４１に変換して、再び映像記録手段１６０に出力するようになっている。
【００３３】
上記書込制御手段１５０は、事象検出手段１１０からの検出信号１１１と時計手段１３０からの時間情報１３１に基づいて、映像記録手段１６０に対する（事象の種類等のデータとしての）検出信号１１１，高精度映像情報１２１，時間情報１３１および低精度映像情報１４１の記録を制御する制御信号１５１を映像記録手段１６０に対して出力するようになっている。
【００３４】
上記映像記録手段１６０は、書込制御手段１５０からの制御信号により、ビデオカメラ１２０からの高精度映像情報１２１と映像変換手段１４０からの低精度映像情報１４１を記録すると共に、事象検出手段１１０からの検出信号１１１に基づいて事象の内容を記録し、時計手段１３０からの時間情報１３１に基づいて事象発生時刻，第一の設定時間および第二の設定時間を記録する。
さらに、映像記録手段１６０は、高精度映像情報１２１を映像変換手段１４０に送信し、また上述した事象の内容，第一および第二の設定時間と高精度映像情報１２１および低精度映像情報１４１の各情報（監視情報）１６１を送信手段１７０に送出する。
【００３５】
上記送信手段１７０は、映像記録手段１６０から送られてくる監視情報１６１をネットワーク５００を介して管理システム３００に送信するようになっている。
【００３６】
上記利用者２００は、映像監視システム１０を利用して、監視対象６００に関する監視情報を得ようとするものである。
上記携帯電話端末２１０は、携帯電話機，ＰＨＳおよびＰＤＡを含む携帯端末機器であり、ネットワーク５００を介して管理システム３００に監視情報１６１および料金情報３３１（後述）の送信を要求すると共に、ネットワーク５００を介して管理システム３００に接続することにより、管理システム３００から監視情報１６１および料金情報３３１を受信するようになっている。
上記インターネット接続端末２２０は、例えばパーソナルコンピュータ等の端末装置であって、ネットワーク５００を介してインターネット接続することにより、管理システム３００に監視情報１６１および料金情報３３１（後述）の送信を要求すると共に、管理システム３００から監視情報１６１および料金情報３３１を受信するようになっている。
【００３７】
上記管理システム３００は、適宜の箇所に設けられた情報管理装置としてのサーバから構成されており、図２に示すように、受信部および送信部としての送受信手段３１０と、映像管理手段３２０と、料金管理手段３３０と、を有している。
【００３８】
上記送受信手段３１０は、各監視システム１００〜１０ｍからネットワーク５００を介して送信されてくる事象発生時の監視情報１６１を受信して、映像管理手段３２０に送出する。
また、上記送受信手段３１０は、映像管理手段３２０で管理されている事象発生時の監視情報１６１を、事象発生時刻から所定時間経過後に、ネットワーク５００を介して利用者２００の携帯電話端末２１０やインターネット接続端末２２０に対して送信すると共に、携帯電話端末２１０やインターネット接続端末２２０からの要求に基づいて、映像管理手段３２０で管理されている事象発生時の監視情報１６１と、料金管理手段３３０で管理されている料金情報３３１を、ネットワーク５００を介して利用者２００の携帯電話端末２１０やインターネット接続端末２２０に対して送信するようになっている。
【００３９】
上記映像管理手段３２０は、各監視システム１００〜１０ｍからネットワーク５００を介して送られてくる事象発生時の監視情報１６１を受け取って、これらの監視情報１６１を図示しない記憶手段に例えばデータベースとして登録することにより、利用者２００毎に管理すると共に、送受信手段３１０からの指令に基づいて、管理している各利用者２００毎の監視情報１６１を送受信手段３１０に送出するようになっている。
【００４０】
上記料金管理手段３３０は、映像管理手段３２０が管理している各利用者２００毎の監視情報１６１に基づいて、各利用者２００毎に利用料金を計算して、料金情報３３１を作成し、この料金情報３３１を図示しない記憶手段に例えばデータベースとして登録することにより、各利用者２００毎に管理すると共に、送受信手段３１０からの指令に基づいて、管理している各利用者２００毎の料金情報３３１を送受信手段３１０に送出するようになっている。
【００４１】
上記決済システム４００は、例えば金融機関，クレジット会社等の決済機関であって、前もって利用者２００が登録することにより、当該映像監視システム１０における利用者２００の利用料金を決済することができるようになっている。
【００４２】
ここで、図３は、監視システム１００の映像記録手段１６０の記録内容を示しており、図示の場合、記録内容としてｎ個のワードＷ１〜Ｗｎを含んでいる。
例えばワードＷ１は、時刻ｔｅ１に事象ｅｖ１が発生し、これを受けて第一の設定時刻（ｔｅ１−ｐｆ１（第一の設定時間））から第二の設定時刻（ｔｅ１＋ｐｓ１（第二の設定時間））の間だけ、高精度映像情報１２１（ＨＤ１）を記録すると共に、第一の設定時刻（ｔｅ１−ｐｆ１）以前には、低精度映像情報１４１（ＬＤ１−１）を記録し、第二の設定時刻（ｔｅ１＋ｐｓ１）以後には、低精度映像情報１４１（ＬＤ１−２）を記録したことを示している。
同様にして、ワードＷ２〜Ｗｎは、それぞれ時刻ｔｅ２〜ｔｅｎに事象ｅｖ２〜ｅｖｎが発生し、これを受けてそれぞれ第一の設定時刻（ｔｅ２−ｐｆ２），・・・，（ｔｅｎ−ｐｆｎ）から第二の設定時刻（ｔｅ２＋ｐｓ２），・・・，（ｔｅｎ＋ｐｓｎ）の間だけ高精度映像情報１２１（ＨＤ２〜ＨＤｎ）を記録すると共に、第一の設定時刻（ｔｅ２−ｐｆ２），・・・，（ｔｅｎ−ｐｆｎ）以前には、低精度映像情報１４１（ＬＤ２−１，・・・，ＬＤｎ−１）を記録し、第二の設定時刻（ｔｅ２＋ｐｓ２），・・・，（ｔｅｎ＋ｐｓｎ）以後には、低精度映像情報１４１（ＬＤ２−２，・・・，ＬＤｎ−２）を記録したことを示している。
【００４３】
次に、本実施形態の映像監視システム１０による詳細な動作について、図４〜図６を参照して説明する。
まず映像監視システム１０における監視対象の映像情報の記録について、図４を参照して説明する。
映像監視システム１０が起動されると、書込制御手段１５０の指示により、ビデオカメラ１２０で撮像された監視対象６００〜６０ｍの高精度映像情報１２１が映像記録手段１６０に記録される。
そして、この高精度映像情報１２１が映像変換手段１４０により低精度映像情報１４１に変換され、同様に映像記録手段１６０に記録される。例えば図４において、時刻ｔ０〜ｔ２の間、映像記録手段１６０の高精度映像エリアには、高精度映像情報Ｈ１，Ｈ２が記録され、続いてこれらの高精度映像情報Ｈ１，Ｈ２から映像変換手段１４０により変換された低精度映像情報Ｌ１，Ｌ２が、映像記録手段１６０の低精度映像エリアに記録される。
【００４４】
ここで、事象検出手段１１０により所定の事象が検出されると、その検出信号１１１が時計手段１３０，書込制御手段１５０および映像記録手段１６０に出力され、そのときの時計手段１３０の出力である事象発生時刻ｔｅｎと、第一の設定時間ｐｆｎ，第二の設定時間ｐｓｎが映像記録手段１６０に記録される。
【００４５】
次に、事象検出手段１１０から出力される事象内容ｅｖｎが映像記録手段１６０に記録される。
続いて、書込制御手段１５０からの指示により、ビデオカメラ１２０で撮像された監視対象の高精度映像情報１２１が映像記録手段１６０に記録される。
このとき、映像変換手段１４０で変換された低精度映像情報１４１の映像記録手段１６０への記録は、書込制御手段１５０の指示により抑止される。
さらに、映像記録手段１６０内に記録されている事象発生時刻ｔｅｎから第一の設定時間ｐｆｎを差し引いた第一の設定時刻（ｔｅｎ−ｐｆｎ）以前の高精度映像情報１２１が消去される。
【００４６】
具体的には、図４において、時刻ｔ２〜ｔ４の間に、映像記録手段１６０の高精度映像エリアには、高精度映像情報Ｈ３，Ｈ４が記録されると共に、これらの高精度映像情報Ｈ３，Ｈ４は、映像変換手段１４０により低精度映像情報Ｌ３，Ｌ４に変換されるが、書込制御手段１５０の指示により、映像記録手段１６０への記録が抑止される。
また、映像記録手段１６０の高精度映像エリアに記録されている高精度映像情報Ｈ１，Ｈ２が消去される。これにより、低精度映像情報Ｌ１，Ｌ２が映像記録手段１６０の低精度映像エリア内に残ることになる。
【００４７】
そして、上記事象発生時刻ｔｅｎから第二の設定時間ｐｓｎを加えた第二の設定時刻（ｔｅｎ＋ｐｓｎ）までの間は、書込制御手段１５０の指示により、ビデオカメラ１２０で撮像された監視対象の高精度映像情報１２１が映像記録手段１６０に記録される。その際、映像変換手段１４０で変換された低精度映像情報１４１の映像記録手段１６０への記録は、書込制御手段１５０の指示により抑止される。
【００４８】
具体的には、図４において、時刻ｔ４〜ｔ５の間に、映像記録手段１６０の高精度映像エリアには、高精度映像情報Ｈ５が記録されると共に、この高精度映像情報Ｈ５は、映像変換手段１４０により低精度映像情報に変換されるが、書込制御手段１５０の指示により、映像記録手段１６０への記録が抑止される。
これにより、映像記録手段１６０には、時刻ｔ２〜ｔ５の間は、低精度映像情報が残されず、高精度映像情報Ｈ３〜Ｈ５のみが記録されている。
【００４９】
その後、上記事象発生時刻ｔｅｎから第二の設定時間ｐｓｎが経過した第二の設定時刻（ｔｅｎ＋ｐｓｎ）以後は、書込制御手段１５０の指示により、ビデオカメラ１２０で撮像された監視対象の高精度映像情報１２１が映像記録手段１６０に記録される。
そして、この高精度映像情報１２１は、映像変換手段１４０により低精度映像情報１４１に変換され、映像記録手段１６０に記録される。
さらに、書込制御手段１５０の指示により、映像記録手段１６０内に記録されている第二の設定時刻（ｔｅｎ＋ｐｓｎ）以降の高精度映像情報１２１は消去される。
【００５０】
具体的には、図４において、時刻ｔ５以降には、映像記録手段１６０の高精度映像エリアには、高精度映像情報Ｈ６〜Ｈ９が記録されると共に、この高精度映像情報Ｈ６〜Ｈ９は、映像変換手段１４０により低精度映像情報Ｌ６〜Ｌ９に変換され、映像記録手段１６０の低精度映像エリアに記録される。そして、書込制御手段１５０の指示により、映像記録手段１６０の高精度映像エリアに記録されている高精度映像情報Ｈ６〜Ｈ９は消去される。
これにより、映像記録手段１６０には、時刻ｔ５以降は、高精度映像情報が残されず、低精度映像情報Ｌ６〜Ｌ９のみが記録されている。
【００５１】
このようにして、映像記録手段１６０には、時刻ｔ０〜ｔ２の間は低精度映像情報Ｌ１，Ｌ２（ＬＤｎ−１）が記録され、時刻ｔ２〜ｔ５の間は高精度映像情報Ｈ３〜Ｈ５（ＨＤｎ）が記録され、時刻ｔ５以降は低精度映像情報Ｌ６〜Ｌ９（ＬＤｎ−２）が記録されるので、事象発生時刻ｔｅｎに対して、その前の第一の設定時間ｐｆｎとその後の第二の設定時間ｐｓｎの間の時間帯のみ、高精度映像情報が記録されることになる。
【００５２】
具体的には、事象が発生しない場合には、図５に示すように、現在時刻ｔｎに対して、第一の設定時間ｐｆｎを差し引いた第一の設定時刻ｔ１（ｔｎ−ｐｆｎ）以前は、高精度映像情報は消去されるので、低精度映像情報１４１のみが記録され、上記時刻ｔ１（ｔｎ−ｐｆｎ）から現在時刻ｔｎまでの間は、高精度映像情報１２１が記録される。
【００５３】
これに対して、例えば前述したワードＷ２に関して、事象ｅｖ２が発生した場合には、図６に示すように、時刻ｔ０〜ｔ１の間は低精度映像情報ＬＤ２−１が記録され、時刻ｔ１〜ｔ３の間は高精度映像情報ＨＤ２が記録され、時刻ｔ３以降は低精度映像情報ＬＤ２−２が記録されるので、事象発生時刻ｔ２（ｔｅｎ）に対して、その前の第一の設定時間ｐｆ２とその後の第二の設定時間ｐｓ２の間の時間帯のみ、高精度映像情報が記録されることになる。
このようにして、事象発生の際の映像記録手段１６０に対する映像情報の記録が行なわれることになる。
【００５４】
次に、映像監視システム１０における事象発生の際の管理システム３００における処理について説明する。
上述した事象発生時刻ｔｅｎから所定時間の経過後に、監視システム１００は、送信手段１７０により、映像記録手段１６０に記録されている監視情報１６１、すなわち事象発生時刻ｔｅｎ，事象の内容ｅｖｎ，第一の設定時間ｐｆｎ，第二の設定時間ｐｓｎおよび映像情報を、ネットワーク５００を介して管理システム３００に送信する。
【００５５】
これにより、管理システム３００は、この監視情報１６１を送受信手段３１０により受信して、映像管理手段３２０に送出する。そして、映像管理手段３２０は、この監視情報１６１を例えば図示しない記憶手段にデータベースとして登録することにより、監視情報１６１を利用者２００毎に管理すると共に、送受信手段３１０に送出する。
さらに、料金管理手段３３０は、この監視情報１６１を映像管理手段３２０から受け取って、この監視情報１６１に基づいて、その内容にしたがって利用料金を計算して、料金情報３３１を作成し、例えば図示しない記憶手段にデータベースとして登録することにより、料金情報３３１を利用者２００毎に管理すると共に、送受信手段３１０に送出する。
これを受けて、管理システム３００の送受信手段３１０は、映像管理手段３２０からの監視情報１６１と料金管理手段３３０からの料金情報３３１を、前もって登録してある利用者２００の携帯電話端末２１０またはインターネット接続端末２２０に対して、ネットワーク５００を介して例えば電子メールとして送信する。
【００５６】
次に、利用者による事象発生確認要求があった場合の処理について説明する。
利用者２００の携帯電話端末２１０またはインターネット接続端末２２０から、事象発生確認の要求２０１がネットワーク５００を介して管理システム３００に送られてくると、管理システム３００の送受信手段３１０がこの要求２０１を受信して、この利用者２００に関する監視情報１６１を映像管理手段３２０から読み出す。そして、管理システム３００の送受信手段３１０は、この監視情報１６１を、ネットワーク５００を介して、当該利用者２００の携帯電話端末２１０またはインターネット接続端末２２０に対して送信する。
これにより、利用者２００は、いつでも事象発生の有無を確認することができる。
【００５７】
また、利用者による料金確認要求があった場合の処理について説明する。
利用者２００の携帯電話端末２１０またはインターネット接続端末２２０から、料金確認の要求２０２がネットワーク５００を介して管理システム３００に送られてくると、管理システム３００の送受信手段３１０がこの要求２０２を受信して、この利用者２００に関する料金情報３３１を料金管理手段３３０から読み出す。そして、管理システム３００の送受信手段３１０は、この料金情報３３１を、ネットワーク５００を介して、当該利用者２００の携帯電話端末２１０またはインターネット接続端末２２０に対して送信する。
これにより、利用者２００は、いつでも利用料金を確認することができる。
【００５８】
さらに、上記管理システム３００は、その料金管理手段３３０で管理されている料金情報３３１を、料金発生の都度、あるいは定期的、例えば毎月精算して、決済システム４００に転送することにより、利用者２００毎の利用料金を決済する。
【００５９】
上述した実施形態においては、事象発生時または利用者２００から事象発生確認の要求２０１があった場合には、管理システム３００から監視情報１６１が利用者２００の携帯電話端末２１０またはインターネット接続端末２２０に対して送信されるようになっているが、比較的記憶容量の小さい携帯電話端末２１０に対しては、容量の大きい映像情報を除いて、他の事象発生時刻，事象内容等のみを送信するようにしてもよい。これにより、利用者２００は、携帯電話端末２１０であっても、迅速に事象が発生したことを確認することができる。
【００６０】
また、上述した実施形態においては、利用者２００の利用料金の決済は、決済システム４００により行なうようになっているが、これに限らず、映像監視システム１０から直接に利用者２００に対して料金請求を行なうようにしてもよい。
【００６１】
さらに、上述した実施形態においては、各監視システム１００〜１０ｍは、それぞれ一つの監視対象６００〜６０ｍをビデオカメラ１２０により撮像して監視するようになっているが、これに限らず、各監視システム１００〜１０ｍがそれぞれ複数の監視対象を監視するようにしてもよい。
【００６２】
また、上述した実施形態においては、映像監視システム１０は、（ｍ＋１）個の監視システム１００〜１０ｍを備えているが、これに限らず、少なくとも１個の監視システムを備えていればよい。
【００６３】
さらに、上述した実施形態においては、唯一つのネットワーク５００を設けてあるが、これに限らず、各監視システム１００〜１０ｍと管理システム３００との間を構内ＬＡＮ等のネットワークにより接続するようにしてもよい。
【００６４】
また、上述した実施形態においては、利用者２００は、その携帯電話端末２１０またはインターネット接続端末２２０にて、管理システム３００から監視情報１６１を受信するようになっているが、これに限らず、各監視システム１００〜１０ｍから監視情報１６１を受信するようにしてもよい。
【００６５】
さらに、上述した実施形態においては、第一の設定時間ｐｆおよび第二の設定時間ｐｓは、事象ｅｖ毎に設定されているが、これに限らず、所定時間に固定されていてもよく、また任意に変更可能であってもよい。
【００６６】
また、上述した実施形態においては、監視情報１６１として、事象発生時刻と第一および第二の設定時間が映像記録手段１６０に記録されるようになっているが、これに限らず、高精度映像情報の記録開始時刻および記録終了時刻が記録されるようにしてもよい。
【００６７】
さらに、上述した実施形態においては、高精度映像情報１２１は、第一の設定時間が経過後に消去されるようになっているが、これに限らず、消去せずに、必要な時点で、すなわち映像記録手段１６０の高精度映像エリアに空き領域がなくなったときに、より古い高精度映像情報に対して上書きするようにしてもよい。
【００６８】
【発明の効果】
以上のように、本発明によれば、事象が発生したとき、事象発生前の第一の設定時間の間そして事象発生後の第二の設定時間の間、映像記録手段に高精度映像情報が記録されることになるので、事象発生時に監視対象の鮮明な映像を見て、事象発生を正確に視認することができる。
また、現在時刻から第一の設定時間を差し引いた第一の設定時刻以前の高精度映像情報は、順次に消去されることになるため、映像記録手段の記憶容量が少なくて済むので、映像監視システムのコストが低減され、あるいはより長時間の映像情報の記録が可能になる。
【図面の簡単な説明】
【図１】本発明の一実施形態の映像監視システムの構成を示すブロック図である。
【図２】図１の映像監視システムにおける監視システムおよび管理システムの構成を示すブロック図である。
【図３】図１の映像監視システムにおける映像記録手段の記録内容を図式的に示す図である。
【図４】図１の映像監視システムにおける事象が発生したときの映像記録手段内の映像情報の状態を示すタイムチャートである。
【図５】図１の映像監視システムにおける事象が発生しないときの映像記録のタイムチャートである。
【図６】図１の映像監視システムにおける事象が発生したときの映像記録のタイムチャートである。
【符号の説明】
１０    映像監視システム
１００〜１０ｍ  監視システム
１１０  事象検出手段
１２０  ビデオカメラ（撮像手段）
１２１  高精度映像情報
１３０  時計手段
１４０  映像変換手段
１４１  低精度映像情報
１５０  書込制御手段
１６０  映像記録手段
１６１  監視情報
１７０  送信手段
２００  利用者
２０１  事象発生確認要求
２０２  料金確認要求
２１０  携帯電話端末
２２０  インターネット接続端末
３００  管理システム（管理部）
３１０  送受信手段（送信部，受信部）
３２０  映像管理手段
３３０  料金管理手段
３３１  料金情報
４００  決済システム（決済部）
５００  ネットワーク
６００〜６０ｍ  監視対象
【図１】
2004356956.tif 000003
【図２】
2004356956.tif 000004
【図３】
2004356956.tif 000005
【図４】
2004356956.tif 000006
【図５】
2004356956.tif 000007
【図６】
2004356956.tif 000008